(57)【要約】【課題】ポリスイッチを用いることなく、簡素な構成で、二心通信線の短絡に対応可能な給湯装置を提供する。【解決手段】給湯装置は、給湯器と、給湯器からの電力供給および給湯器との通信が可能な二心通信線３００で給湯器に接続されたリモコン２００と、給湯器側の制御基板に配置されたマイコン１２１と、を備える。マイコン１２１は、二心通信線３００の電圧Ｖｄの電圧値が、正常な電圧値よりも低い閾値電圧値以下であることに基づいて、二心通信線３００の短絡を検出する。【選択図】図４
2019090574.tif 000002
【特許請求の範囲】
【請求項１】
給湯器と、
前記給湯器からの電力供給とともに前記給湯器との通信が可能な２線式の通信線で前記給湯器に接続されたリモートコントローラと、を備え、
前記給湯器は、前記通信線の電圧値が、正常な電圧値よりも低い閾値電圧値以下であることに基づいて、前記通信線の短絡を検出する短絡検出部を備える、ことを特徴とする給湯装置。
【請求項２】
請求項１に記載の給湯装置において、
前記短絡検出部は、複数の抵抗と、前記給湯器を制御するマイクロコンピュータとにより構成され、
前記マイクロコンピュータは、前記複数の抵抗により分圧された前記通信線の電圧値が前記閾値電圧値以下となったことに基づいて、前記通信線の短絡を検出する、ことを特徴とする給湯装置。
【請求項３】
請求項１または２に記載の給湯装置において、
前記短絡検出部により前記通信線の短絡が検出されたことに基づいて、前記通信線による前記電力供給を遮断する遮断部を備える、ことを特徴とする給湯装置。
【請求項４】
請求項３に記載の給湯装置において、
前記遮断部は、前記通信線に直列に接続されたトランジスタと、前記給湯器を制御するマイクロコンピュータとにより構成され、
前記マイクロコンピュータは、前記通信線の短絡が検出されたことに基づいて、前記トランジスタを制御して、前記通信線を含む回路を遮断する、ことを特徴とする給湯装置。
【請求項５】
請求項４に記載の給湯装置において、
前記マイクロコンピュータは、前記通信線を含む前記回路を遮断した後、所定のタイミングで、前記トランジスタを制御して前記通信線を含む前記回路を導通させ、前記通信線の短絡が解消されたか否かを検出する、ことを特徴とする給湯装置。
【請求項６】
請求項１ないし５の何れか一項に記載の給湯装置において、
前記短絡検出部により前記通信線の短絡が検出されたことに基づいて、前記通信線の短絡を報知する報知部を備える、ことを特徴とする給湯装置。
【発明の詳細な説明】
【技術分野】
【０００１】
本発明は、ガス給湯装置やオイル給湯装置等の給湯装置に関する。
【背景技術】
【０００２】
一般に、給湯装置は、給湯器と、給湯器に接続されるリモートコントローラ（以下、「リモコン」という）と、を備えている。ここで、給湯器とリモコンは、給湯器からリモコンに対して電力供給が可能で、且つ、給湯器とリモコンとの間で通信が可能なように、２線式の通信線（以下、「二心通信線」という）によって接続される。
【０００３】
このような構成では、二心通信線が何らかの要因で短絡（ショート）した場合に、給湯器側の制御基板に大電流が流れ、通信用のコイル等に発熱が生じる等の不具合が生じる。これを防止する方法として、二心通信線にポリスイッチを接続する方法が考えられる（特許文献１参照）。この方法によれば、二心通信線が短絡してポリスイッチに大電流が流れると、ポリスイッチが発熱してポリスイッチの抵抗値が高まる。これにより、制御基板を流れる電流量が抑制される。
【先行技術文献】
【特許文献】
【０００４】
【特許文献１】特開２００５−１５１７７６号公報
【発明の概要】
【発明が解決しようとする課題】
【０００５】
しかしながら、ポリスイッチは、素子の特性上、環境温度の変化に対して保持電流および遮断電流が大きく変化する。このため、上記のように、二心通信にポリスイッチを用いる場合は、適正なポリスイッチを選定することが困難である。また、通信のためのコイルに関しても、ポリスイッチにおいて起こり得る電流のバラツキに対して温度上昇を抑制することを担保する必要があるため、コイルがある程度大型化してしまうといった問題が生じる。
【０００６】
かかる課題に鑑み、本発明は、ポリスイッチを用いることなく、簡素な構成で、二心通信線の短絡に対応可能な給湯装置を提供することを目的とする。
【課題を解決するための手段】
【０００７】
本発明の主たる態様に係る給湯装置は、給湯器と、前記給湯器からの電力供給とともに前記給湯器との通信が可能な２線式の通信線で前記給湯器に接続されたリモートコントローラと、を備え、前記給湯器は、前記通信線の電圧値が、正常な電圧値よりも低い閾値電圧値以下であることに基づいて、前記通信線の短絡を検出する短絡検出部を備える。
【０００８】
本態様に係る給湯装置によれば、ポリスイッチを用いることなく、通信線の電圧値を閾値電圧値と比較するといった簡素な構成により、通信線の短絡を検出できる。
【０００９】
この場合、前記短絡検出部は、複数の抵抗と、前記給湯器を制御するマイクロコンピュータとにより構成され、前記マイクロコンピュータは、前記複数の抵抗により分圧された前記通信線の電圧値が前記閾値電圧値以下となったことに基づいて、前記通信線の短絡を検出するよう構成され得る。この構成によれば、マイクロコンピュータに簡単な比較機能（電圧値の比較機能）を追加するとともに、安価かつ汎用的な部品である抵抗を追加するといった極めて簡素な構成により、通信線の短絡を検出することができる。
【００１０】
本態様に係る給湯装置は、前記短絡検出部により前記通信線の短絡が検出されたことに基づいて、前記通信線による前記電力供給を遮断する遮断部を備える構成とされ得る。この構成によれば、通信線の短絡により給湯器側の回路に大電流が流れることと防ぐことができる。
【００１１】
この場合、前記遮断部は、前記通信線に直列に接続されたトランジスタと、前記給湯器を制御するマイクロコンピュータとにより構成され、前記マイクロコンピュータは、前記通信線の短絡が検出されたことに基づいて、前記トランジスタを制御して、前記通信線を含む回路を遮断するよう構成され得る。この構成によれば、マイクロコンピュータに簡単な制御機能を追加するとともに、安価かつ汎用的な部品であるトランジスタを追加するといった極めて簡素な構成により、給湯器側の回路に大電流が流れることと防ぐことができる。
【００１２】
また、前記マイクロコンピュータは、前記通信線を含む前記回路を遮断した後、所定のタイミングで、前記トランジスタを制御して前記通信線を含む前記回路を導通させ、前記通信線の短絡が解消されたか否かを検出するよう構成され得る。この構成によれば、通信線の短絡が解消されることに伴い、自動的に、通信線による電力供給および通信を再開させることができる。
【００１３】
本態様に係る給湯装置は、前記短絡検出部により前記通信線の短絡が検出されたことに基づいて、前記通信線の短絡を報知する報知部を備える構成とされ得る。この構成によれば、通信線に短絡が生じたことをサービスマン等に知らせることができる。これにより、サービスマン等は、迅速かつ円滑に、通信線の短絡に対する措置をとることができる。
【発明の効果】
【００１４】
以上のとおり、本発明によれば、ポリスイッチを用いることなく、簡素な構成で、二心通信線の短絡に対応可能な給湯装置を提供することができる。
【００１５】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１６】
【図１】図１は、実施形態に係る給湯装置の構成を示す図である。
【図２】図２は、実施形態に係る制御基板の回路部の構成を示す図である。
【図３】図３（ａ）、（ｂ）は、比較例に係る二心通信回路の構成を示す図である。
【図４】図４は、実施形態に係る二心通信回路の構成を示す図である。
【図５】図５（ａ）は、実施形態に係る、二心通信線に短絡が生じた場合の処理を示すフローチャートである。図５（ｂ）は、実施形態に係る、図５（ａ）の処理後に実行される復旧処理を示すフローチャートである。
【図６】図６は、変更例に係る二心通信回路の構成を示す図である。
【発明を実施するための形態】
【００１７】
以下、本発明の実施形態について図面を参照して説明する。本実施形態は、ガス式の給湯装置に本発明を適用したものである。
【００１８】
図１は、給湯装置１０の構成を示す図である。
【００１９】
給湯装置１０は、給湯器１００と、リモコン２００と、二心通信線３００と、を備える。二心通信線３００は、給湯器１００からリモコン２００に対する電力供給と、給湯器１００とリモコン２００との間の通信とが可能な２線式の通信線である。二心通信線３００の一方の通信線には電源電圧（本実施形態では１５Ｖ）が印加され、他方の通信線はグランドに接続される。通信のための信号は、電源電圧に重畳されて、二心通信線３００により、給湯器１００とリモコン２００との間で送受信される。
【００２０】
給湯器１００は、外装ケース１０１と、外装ケース１０１の前面を覆うフロントカバー１０２とを備える。外装ケース１０１の内部に缶体１０３が配置され、缶体１０３内に、燃焼器１０４と、熱交換器１０５が収容されている。燃焼器１０４には、配管１０６によって燃焼ガスが供給される。配管１０６には、配管１０６を開閉するための電磁弁１０７ａと、燃焼ガスの供給量を調節するための比例弁１０７ｂが設けられている。電磁弁１０７ａおよび比例弁１０７ｂは、制御基板１２０に設置されたマイクロコンピュータ（以下、「マイコン」という）よって制御される。
【００２１】
熱交換器１０５には、水の流路を構成する配管１０８が通されている。配管１０８の入口に水が供給され、配管１０８の出口から湯が放出される。配管１０８を流れる水が熱交換器１０５の流路を通る間に、燃焼器１０４で生じた熱が熱交換器１０５を介して水に伝達される。これにより、水が沸かされる。配管１０８には、湯の放出量すなわち給湯量を調整するための電磁弁１０９が設けられている。
【００２２】
缶体１０３の給気口１０３ａにファン１１０が連結されている。缶体１０３の排気口１０３ｂは、外装ケース１０１の側面に形成された孔を介して外部に開放されている。ファン１１０は、たとえば、単相ファンである。ファン１１０がシロッコファンであってもよい。ファン１１０は、モータ１１０ａが駆動されることにより、燃焼器１０４に燃焼用の空気を供給する。モータ１１０ａは、たとえば、ブラシレスＤＣモータである。ファン１１０は、所定の空燃比で燃焼器１０４に空気が供給されるよう、所定の回転数に制御される。
【００２３】
給湯器１００は、電気回路系の構成として、制御基板１２０と、電源基板１３０と、表示部１４０とを備える。制御基板１２０は、給湯器１００の各部を駆動および制御するための回路を備える。電源基板１３０は、商用電源から供給される交流電圧から直流の電源電圧を生成して各部に供給する。本実施形態では、電源基板１３０により生成される電源電圧が、直流１５ボルトである。表示部１４０は、たとえば、７セグの表示素子や液晶ディスプレイ等により構成され、制御基板１２０からの制御に応じて、給湯器１００の動作状態等に関する各種表示を行う。
【００２４】
リモコン２００は、制御部と、表示部と、操作部とを備え、給湯温度の設定や、種々の情報の表示のために用いられる。リモコン２００は、たとえば、キッチンやリビングルーム等に設置される。リモコン２００は、給湯器１００側の制御基板１２０と二心通信線３００で接続されている。
【００２５】
図２は、制御基板１２０の回路部の構成を示す図である。
【００２６】
制御基板１２０は、マイコン１２１と、レギュレータ１２２と、電磁弁駆動回路１２３と、ステッピングモータ駆動回路１２４と、ファン駆動回路１２５と、制御回路１２６と、二心通信回路１２７と、を備える。電源基板１３０により生成された電源電圧（ＤＣ１５Ｖ）は、レギュレータ１２２、電磁弁駆動回路１２３、ステッピングモータ駆動回路１２４、ファン駆動回路１２５、制御回路１２６、および二心通信回路１２７にそれぞれ供給される。
【００２７】
マイコン１２１は、制御基板１２０に設置された各回路を制御する。レギュレータ１２２は、電源基板１３０により生成された１５ボルトの直流電圧を５ボルトの電圧に変換してマイコン１２１に供給する。電磁弁駆動回路１２３は、マイコン１２１からの制御に従って、図１に示した電磁弁１０７ａ、１０９を駆動する。ステッピングモータ駆動回路１２４は、マイコン１２１からの制御に従って、図１に示した比例弁１０７ｂのステッピングモータを駆動する。ファン駆動回路１２５は、マイコン１２１からの制御に従って、図１に示したファン１１０のモータ１１０ａを駆動する。制御回路１２６は、マイコン１２１からの制御に従って、図１に示した表示部１４０および給湯器１００に含まれるその他の各回路部を駆動する。
【００２８】
二心通信回路１２７は、マイコン１２１からの制御に従って、リモコン２００との間で通信を行う。二心通信回路１２７は、二心通信線３００によってリモコン２００に接続されている。二心通信回路１２７は、電源基板１３０により生成された電源電圧を、二心通信線３００を介してリモコン２００に供給するとともに、電源電圧に重畳された信号により、リモコン２００との間で通信を行う。
【００２９】
ところで、図２に示した構成では、二心通信線３００が何らかの要因で短絡（ショート）した場合に、給湯器１００側の制御基板１２０に大電流が流れて、二心通信回路１２７のコイルが異常発熱を起こすとの問題が起こり得る。よって、この構成では、二心通信線３００が短絡した場合に、制御基板１２０に大電流が流れることを防ぐ手段が必要となる。このような手段として、たとえば、二心通信回路１２７にポリスイッチを配置する方法が採られ得る。
【００３０】
図３（ａ）、（ｂ）は、比較例に係る二心通信回路１２７の構成を示す図である。図３（ａ）、（ｂ）には、二心通信回路１２７の構成のうち、リモコン２００に対する電源供給と、リモコン２００との間の通信とに直接関連する回路部分のみが図示され、その他の構成は省略されている。
【００３１】
比較例の二心通信回路１２７は、通信のための構成として、コイル４０１とコンデンサ４０２を備えている。コイル４０１は、電源供給ライン（１５Ｖ）と二心通信線３００の一方の通信線との間に直列接続されている。コンデンサ４０２は、コイル４０１に対して並列となるように、電源供給ライン（１５Ｖ）とグランドとの間に接続されている。
【００３２】
さらに、比較例に係る二心通信回路１２７では、二心通信線３００の他方の通信線とグランドとの間にポリスイッチ４１０が直列接続されている。ポリスイッチ４１０は、大電流が流れると、発熱して抵抗値が急激に増大する特性を有する。
【００３３】
図３（ａ）は、二心通信線３００に短絡が生じていない場合の状態を示している。この場合、コイル４０１およびポリスイッチ４１０には、コイル４０１およびポリスイッチ４１０の抵抗成分とリモコン２００の抵抗成分とによって規定される電流が流れる。ここでは、リモコン２００の抵抗成分が大きいため、コイル４０１およびポリスイッチ４１０に流れる電流量は小さくなり、ポリスイッチ４１０の抵抗値は、通常の抵抗値の範囲に収まる。
【００３４】
図３（ｂ）は、二心通信線３００に短絡Ｓ１が生じた場合の状態を示している。この場合、回路からリモコン２００の抵抗成分が切り離されるため、コイル４０１およびポリスイッチ４１０には、コイル４０１およびポリスイッチ４１０の抵抗成分のみによって規定される電流が流れる。このため、コイル４０１およびポリスイッチ４１０に流れる電流量が顕著に増加し、コイル４０１とともにポリスイッチ４１０に発熱が生じる。しかし、この場合、発熱によりポリスイッチ４１０の抵抗値が増大し、コイル４０１に流れる電流量が抑制される。これにより、コイル４０１の発熱が抑制される。
【００３５】
このように、比較例の構成では、ポリスイッチ４１０の作用により、コイル４０１に大電流が流れることが抑制される。しかしながら、ポリスイッチ４１０は、素子の特性上、環境温度の変化に対して保持電流および遮断電流が大きく変化するため、二心通信に用いるべきポリスイッチ４１０の選定が困難である。また、コイル４０１に関しても、ポリスイッチ４１０において起こり得る電流のバラツキに対して温度上昇を抑制することを担保する必要があるため、コイル４０１がある程度大型化してしまうとの問題が生じる。
【００３６】
さらに、比較例の構成では、ポリスイッチ４１０の素子特性により大電流の流入が抑制されるため、二心通信線３００に短絡が生じていることを把握するためには、たとえば、リモコン２００を操作して動作しないことを確認する作業が必要となり、この作業が抜けてしまうと、異常な施工状態のまま給湯装置１０が放置されることが起こり得る。この他、ポリスイッチ４１０は高価であるため、給湯装置１０のコスト上昇を招くとの問題もある。
【００３７】
そこで、本実施形態では、ポリスイッチ４１０を用いることなく、簡素な構成で、二心通信線３００の短絡に適切に対応可能な手段が用いられている。
【００３８】
図４は、実施形態に係る二心通信回路１２７の構成を示す図である。図４の構成において、図３（ａ）、（ｂ）の構成と同一機能の構成要素には同一の符号が付されている。
【００３９】
実施形態に係る二心通信回路１２７では、ポリスイッチ４１０が省略され、トランジスタ４０３と４つの抵抗４０４〜４０７が追加されている。トランジスタ４０３は、電界効果トランジスタ（ＭＯＳ−ＦＥＴ）である。トランジスタ４０３は、二心通信線３００のグランド側の通信線とグランドとの間に直列接続されている。すなわち、実施形態に係る二心通信回路１２７では、比較例に比べて、ポリスイッチ４１０がトランジスタ４０３に置き換えられている。
【００４０】
トランジスタ４０３のゲートには、抵抗４０６、４０７が接続されている。抵抗４０６はグランドに接続され、抵抗４０７はマイコン１２１のＱ信号出力ポートに接続されている。マイコン１２１から出力されたＱ信号は、抵抗４０６、４０７によって分圧されて、トランジスタ４０３のゲートに入力される。通常動作時において、マイコン１２１は、ハイレベルのＱ信号を出力し続ける。これにより、トランジスタ４０３がオン状態となり、二心通信線３００を介した電力供給と通信が行われる。
【００４１】
抵抗４０４、４０５は、二心通信線３００の電源電圧側の通信線の電圧を検出するためのものである。二心通信線３００の電源電圧側の通信線の電圧は、２つの抵抗４０４、４０５によって分圧されて、マイコン１２１の電圧検出ポートに入力される。マイコン１２１は、分圧後の電圧Ｖｄを参照して、二心通信線３００の状態を検出する。二心通信線３００が短絡されると、電圧Ｖｄが所定の電圧から大きく減少する。マイコン１２１は、通常動作時の電圧と短絡時の電圧との間に閾値Ｖｔｈを設定し、電圧Ｖｄが閾値Ｖｔｈ以下となった場合に、二心通信線３００に短絡が生じたことを検出する。閾値Ｖｔｈは、たとえば、レギュレータ１２２から供給される電圧に対して所定の割合となるレベルに設定される。
【００４２】
図５（ａ）は、二心通信線３００に短絡が生じた場合の処理を示すフローチャートである。なお、図５（ａ）の処理の一部または全部が、マイコン１２１においてソフトウエア（プログラム）により実行されてもよく、あるいは、マイコン１２１に組み込まれたハードウエア（ロジック回路）により実行されてもよい。この点は、図５（ｂ）に示すフローチャートの処理も同様である。
【００４３】
マイコン１２１は、抵抗４０４、４０５で分圧された後の電圧Ｖｄを参照して（Ｓ１０１）、電圧Ｖｄが閾値Ｖｔｈ以下であるか否かを判定する（Ｓ１０２）。二心通信線３００に短絡が生じていない場合、電圧Ｖｄは閾値Ｖｔｈよりも十分に大きい。この場合、ステップＳ１０２の判定はＮＯとなる。マイコン１２１は、電圧Ｖｄが閾値Ｖｔｈ以下でない場合（Ｓ１０２：ＮＯ）、処理をステップＳ１０１に戻して、電圧Ｖｄの監視を継続する。
【００４４】
他方、二心通信線３００に短絡が生じた場合、電圧Ｖｄは閾値Ｖｔｈよりも小さくなる。この場合、ステップＳ１０２の判定はＹＥＳとなる。マイコン１２１は、電圧Ｖｄが閾値Ｖｔｈ以下である場合（Ｓ１０２：ＹＥＳ）、Ｑ信号の出力を停止させて、トランジスタ４０３をオフ状態に設定する（Ｓ１０３）。これにより、コイル４０１および二心通信線３００を含む回路が遮断されて、コイル４０１に電流が流れなくなる。
【００４５】
さらに、マイコン１２１は、ステップＳ１０３の処理とともに、二心通信線３００に短絡が生じたことを報知するための処理を実行する（Ｓ１０４）。たとえば、マイコン１２１は、ステップＳ１０４において、表示部１４０の表示を点滅させ、あるいは、短絡が生じたことを示す数字や記号等を表示部１４０に表示させる。この他、マイコン１２１は、制御基板１２０に設置されているリレー等の音が生じる部品を動作させて、音により、短絡が生じていることを報知してもよい。給湯器１００にスピーカが設けられている場合は、スピーカから短絡が生じていることを示す音声を出力させてもよい。
【００４６】
こうして、二心通信線３００の短絡に応じた処理を実行した後、マイコン１２１は、リモコン２００に対する給電および通信を復旧させる処理を実行する。
【００４７】
図５（ｂ）は、図５（ａ）の処理後に実行される復旧処理を示すフローチャートである。
【００４８】
マイコン１２１は、図５（ａ）の処理を実行した後、所定の時間間隔で定期的に、二心通信線３００の短絡が解消されたか否かを監視する。すなわち、マイコン１２１は、図５（ａ）の処理を実行した後、所定時間が経過するごとに（Ｓ２０１：ＹＥＳ）、Ｑ信号の出力を開始させ（Ｓ２０２）、電圧Ｖｄが閾値Ｖｔｈを超えたか否かを判定する（Ｓ２０３）。電圧Ｖｄが閾値Ｖｔｈを超えると（Ｓ２０３：ＹＥＳ）、マイコン１２１は、二心通信線３００の短絡が解消されたとして、図５（ａ）のステップＳ１０４で開始した報知処理を解除し（Ｓ２０４）、復旧処理を終了する。これにより、ステップＳ２０２で開始されたＱ信号の出力がそのまま継続され、トランジスタ４０３がオン状態に維持される。こうして、リモコン２００に対する給電および通信が復旧する。
【００４９】
他方、ステップＳ２０２でＱ信号の出力を開始させたが、電圧Ｖｄが閾値Ｖｔｈを超えない場合（Ｓ２０３：ＮＯ）、マイコン１２１は、二心通信線３００の短絡が解消されていないとして、Ｑ信号の出力を停止させ（Ｓ２０５）、処理をステップＳ２０１に戻す。マイコン１２１は、電圧Ｖｄが閾値Ｖｔｈを超えるまで（Ｓ２０３：ＹＥＳ）、所定時間が経過するごとに（Ｓ２０１：ＹＥＳ）、ステップＳ２０２、Ｓ２０５の処理を繰り返し実行する。やがて、二心通信線３００の短絡が解消されると、ステップＳ２０３の判定がＹＥＳとなり、処理がステップＳ２０４へと移行される。これにより、トランジスタ４０３がオン状態に維持され、リモコン２００に対する給電および通信が復旧する。
【００５０】
＜実施形態の効果＞
本実施形態によれば、以下の効果が奏され得る。
【００５１】
図４に示したように、ポリスイッチ４１０を用いることなく、二心通信線３００の電圧Ｖｄを閾値Ｖｔｈと比較するといった極めて簡素な構成により、二心通信線３００の短絡を検出することができる。本実施形態によれば、ポリスイッチ４１０を用いない構成であるため、コイル４０１を小型化でき、且つ、コストの低減を図ることができる。
【００５２】
図４に示したように、２つの抵抗４０４、４０５と、給湯器１００を制御するマイコン１２１によって二心通信線３００の短絡が検出される。ここで、マイコン１２１は、二心通信線３００の電圧を２つの抵抗４０４、４０５により分圧した後の電圧Ｖｄが閾値Ｖｔｈ以下となったことに基づいて、二心通信線３００の短絡を検出するよう構成されている。このように、本実施形態によれば、マイコン１２１に簡単な比較機能（電圧値の比較機能）を追加するとともに、安価かつ汎用的な部品である抵抗４０４、４０５を追加するといった極めて簡素な構成により、二心通信線３００の短絡を検出することができる。
【００５３】
図５（ａ）に示したように、二心通信線３００の短絡が検出されたこと（Ｓ１０２：ＹＥＳ）に基づいて、二心通信線３００を含む回路が遮断される（Ｓ１０３）。これにより、二心通信線３００の短絡によって給湯器１００側の制御基板１２０に大電流が流れることと防ぐことができる。
【００５４】
図４に示したように、二心通信線３００のグランド側の通信線に直列に接続されたトランジスタ４０３と、給湯器１００を制御するマイコン１２１とによって、二心通信線３００を含む回路の遮断が行われる。ここで、マイコン１２１は、二心通信線３００の短絡が検出されたことに基づいて、トランジスタ４０３を制御して、二心通信線３００を含む回路を遮断するよう構成されている。このように、本実施形態によれば、マイコン１２１に簡単な制御機能（Ｑ信号のＯＮ／ＯＦＦ機能）を追加するとともに、安価かつ汎用的な部品であるトランジスタ４０３を追加するといった極めて簡素な構成により、給湯器１００側の制御基板１２０に大電流が流れることと防ぐことができる。
【００５５】
図５（ｂ）に示したように、マイコン１２１は、図５（ａ）の処理により二心通信線３００を含む回路を遮断した後、所定のタイミング（Ｓ２０１）で、トランジスタ４０３を制御して二心通信線３００を含む回路を導通させ（Ｓ２０２）、二心通信線３００の短絡が解消されたか否かの検出（Ｓ２０３）を行う。この構成によれば、二心通信線３００の短絡が解消されることに伴い、自動的に、二心通信線３００による電力供給および通信を再開させることができる。
【００５６】
図５（ａ）に示したように、マイコン１２１は、二心通信線３００の短絡が検出されたことに基づいて（Ｓ１０２：ＹＥＳ）、二心通信線３００の短絡を報知する報知処理を実行する（Ｓ１０４）。この構成によれば、二心通信線３００に短絡が生じたことをサービスマン等に的確に知らせることができる。これにより、サービスマン等は、迅速かつ円滑に、二心通信線３００の短絡に対する措置をとることができる。
【００５７】
＜変更例＞
上記実施形態では、二心通信線３００の短絡を検出するための短絡検出部が、２つの抵抗４０４、４０５とマイコン１２１とによって構成され、二心通信線３００を含む回路を遮断する遮断部が、トランジスタ４０３とマイコン１２１とによって構成されたが、短絡検出部および遮断部の構成は、必ずしもこれに限られるものではない。
【００５８】
たとえば、マイコン１２１とは別に、電圧Ｖｄと閾値Ｖｔｈとに基づいて二心通信線３００の短絡を検出する検出回路が設けられてもよい。この場合、この検出回路による検出結果がマイコン１２１に入力され、入力された検出結果に応じて、マイコン１２１により、トランジスタ４０３のオン／オフおよび表示部１４０の制御が行われる。あるいは、検出回路による出力によって、直接、トランジスタ４０３がオン／オフ制御されて、二心通信線３００を含む回路が遮断／導通される構成であってもよい。また、二心通信線３００に印加されている電圧を分圧する抵抗の数は、必ずしも２つでなくてもよい。
【００５９】
また、上記実施形態では、レギュレータ１２２から供給される電圧に基づいて閾値Ｖｔｈが設定されたが、閾値Ｖｔｈの設定方法はこれに限られるものではなく、たとえば、電源基板１３０から供給される電源電圧に基づいて、閾値Ｖｔｈが設定されてもよい。この場合、二心通信回路１２７の構成は、たとえば、図６のように変更され得る。
【００６０】
図６の変更例では、電源電圧（１５Ｖ）が抵抗４０８、４０９で分圧され、分圧後の電圧Ｖｃがマイコン１２１に入力される。マイコン１２１は、電圧Ｖｃに対して所定の割合の電圧を閾値Ｖｔｈに設定する。この構成によれば、何らかの要因により電源電圧が変動したとしても、この変動に応じて閾値Ｖｔｈが修正されるため、電圧Ｖｄに対してｈを適正に設定できる。よって、二心通信回路１２７の短絡をより適正に検出することができる。
【００６１】
また、上記実施形態では、図１に示すように、給湯のみが可能な給湯器が例示されたが、給湯とともに風呂の追い焚きが可能な給湯器に本発明を適用することも可能である。また、ガス式に限らず、オイル式等の他の方式の給湯器に本発明を適用することも可能である。
【００６２】
この他、本発明の実施形態は、特許請求の範囲に記載の範囲で適宜種々の変更可能である。
【符号の説明】
【００６３】
１０  給湯装置
１００  給湯器
１２１  マイコン（短絡検出部、遮断部、報知部）
１２７  二心通信回路
４０３  トランジスタ（遮断部）
４０４、４０５  抵抗（短絡検出部）
４０８、４０９  抵抗（短絡検出部）
１４０  表示部（報知部）
２００  リモコン
３００  二心通信線
【図１】
2019090574.tif 000003
【図２】
2019090574.tif 000004
【図３】
2019090574.tif 000005
【図４】
2019090574.tif 000006
【図５】
2019090574.tif 000007
【図６】
2019090574.tif 000008